(57)【要約】【課題】非常用光源の照射特性と配光特性とが常用光源を考慮せずに得られ、特殊な光学部品が用いられず、かつ、製品の構造が簡素になり、資材コスト及び組立コストが低減できる照明装置を得ることを目的とする。【解決手段】照明装置は、非常用光源を有する第１照明具と、常用光源を有する少なくとも２以上の第２照明具とを備え、第１照明具は、少なくとも２以上の第２照明具の間に配置され、少なくとも２以上の第２照明具のそれぞれは、第１照明具から別々の向きとなる第１照明具の周りに配置される。【選択図】図１
2020173924.tif 000002
【特許請求の範囲】
【請求項１】
非常用光源を有する第１照明具と、
常用光源を有する少なくとも２以上の第２照明具と
を備え、
前記第１照明具は、少なくとも２以上の前記第２照明具の間に配置され、
少なくとも２以上の前記第２照明具のそれぞれは、前記第１照明具から別々の向きとなる前記第１照明具の周りに配置される照明装置。
【請求項２】
少なくとも２以上の前記第２照明具のそれぞれは、前記第１照明具の周りに等配される請求項１に記載の照明装置。
【請求項３】
少なくとも２以上の前記第２照明具のそれぞれは、長辺と短辺とを有する長尺型照明具である請求項１又は請求項２に記載の照明装置。
【請求項４】
少なくとも２以上の前記第２照明具のそれぞれは、同形状の長尺型照明具である請求項３に記載の照明装置。
【請求項５】
前記第２照明具は、２つ設けられ、
前記第１照明具は、２つの前記第２照明具の間に挟まれる請求項１又は請求項２に記載の照明装置。
【請求項６】
前記第１照明具及び２つの前記第２照明具のそれぞれは、長辺と短辺とを有する長尺型照明具であり、長辺を同一方向に直列に一直線状に配置される請求項５に記載の照明装置。
【請求項７】
前記第１照明具及び２つの前記第２照明具は、長辺に沿った中心線を一致させる請求項６に記載の照明装置。
【請求項８】
前記第１照明具及び２つの前記第２照明具のそれぞれは、長辺と短辺とを有する長尺型照明具であり、長辺を並列に配置される請求項５に記載の照明装置。
【請求項９】
前記第２照明具は、３以上設けられ、
前記第１照明具は、３以上の前記第２照明具の中央に配置される請求項１〜請求項４のいずれか１項に記載の照明装置。
【請求項１０】
３以上の前記第２照明具は、前記第１照明具の周りを囲む請求項９に記載の照明装置。
【請求項１１】
３以上の前記第２照明具のそれぞれは、長辺と短辺とを有する長尺型照明具であり、前記第１照明具に対して長辺の途中における短辺の縁部を向けて前記第１照明具の周りを囲む請求項１０に記載の照明装置。
【請求項１２】
３以上の前記第２照明具は、前記常用光源を覆う透光部を一体化されて環状に構成される請求項１０又は請求項１１に記載の照明装置。
【請求項１３】
前記第２照明具は、４つ設けられ、
４つの前記第２照明具は、前記第１照明具の周りを矩形形状に囲む請求項９〜請求項１２のいずれか１項に記載の照明装置。
【請求項１４】
４つの前記第２照明具のそれぞれは、一方の端部を前記第１照明具の周りを囲んだ前記矩形形状の角部に配置されるとともに、他方の端部を前記矩形形状の隣辺の角部に隣接して配置される請求項１３に記載の照明装置。
【請求項１５】
４つの前記第２照明具のそれぞれは、両端部を前記第１照明具の周りを囲んだ前記矩形形状の角部に空間を形成するように離間して配置される請求項１４に記載の照明装置。
【請求項１６】
前記第１照明具及び少なくとも２以上の前記第２照明具のそれぞれは、長辺と短辺とを有する長尺型照明具であり、短辺の幅を同一長さに形成される請求項１〜請求項１５のいずれか１項に記載の照明装置。
【請求項１７】
少なくとも２以上の前記第２照明具のそれぞれは、前記第１照明具よりも大きい請求項１〜請求項１６のいずれか１項に記載の照明装置。
【請求項１８】
前記第１照明具及び少なくとも２以上の前記第２照明具のそれぞれの照射側の最頂部は、前記第１照明具及び少なくとも２以上の前記第２照明具のそれぞれの外郭部よりも凹む請求項１〜請求項１７のいずれか１項に記載の照明装置。
【請求項１９】
前記第１照明具及び少なくとも２以上の前記第２照明具を合わせた第１合成重心の位置は、前記第１照明具の領域に位置する請求項１〜請求項１８のいずれか１項に記載の照明装置。
【請求項２０】
前記第１照明具は、前記非常用光源を覆う第１透光部を有し、
前記第２照明具は、前記常用光源を覆う第２透光部を有し、
前記第１透光部と前記第２透光部とが相互に遮光され、
前記第２透光部は、中央の前記第１照明具の前記第１透光部の外側にて、前記非常用光源の光軸と重ならない位置に配置される請求項１〜請求項１９のいずれか１項に記載の照明装置。
【請求項２１】
前記非常用光源は、前記第２照明具が配列される向きと交わる断面視にて、前記断面視の断面線上にて前記第２照明具と重なるように配置される請求項１〜請求項２０のいずれか１項に記載の照明装置。
【請求項２２】
前記第１照明具は、前記第１透光部を露出させた開孔が形成された外郭部を有し、
前記第１透光部と前記第２透光部とは、前記外郭部によって相互に遮光される請求項２０又は請求項２０に従属する請求項２１に記載の照明装置。
【請求項２３】
少なくとも２以上の前記第２照明具を合わせた第２合成重心の位置は、前記第１照明具の領域に位置する請求項１〜請求項２２のいずれか１項に記載の照明装置。
【請求項２４】
前記第１照明具及び少なくとも２以上の前記第２照明具を配置する筐体を有し、
前記筐体の中心は、前記第１照明具の領域に位置する請求項１〜請求項２３のいずれか１項に記載の照明装置。
【請求項２５】
前記第１透光部は、２以上の前記第２透光部の間に空間を隔てて配置される請求項２０又は請求項２０に従属する請求項２１〜請求項２４のいずれか１項に記載の照明装置。
【請求項２６】
前記非常用光源を非常用光源点灯電力によって発光させる第１電力供給系統を有し、
前記第１電力供給系統は、前記常用光源を常用光源点灯電力によって発光させる請求項１〜請求項２５のいずれか１項に記載の照明装置。
【請求項２７】
前記常用光源を常用光源点灯電力によって発光させる第１電力供給系統を有し、
前記非常用光源を非常用光源点灯電力によって発光させる第２電力供給系統を有する請求項１〜請求項２５のいずれか１項に記載の照明装置。
【請求項２８】
前記第１透光部は、前記第１照明具の下面のうちの一部に設けられ、
前記第２透光部は、前記第２照明具の下面の外郭部以外の全体に設けられる請求項２０又は請求項２０に従属する請求項２１〜請求項２７のいずれか１項に記載の照明装置。
【請求項２９】
前記第１照明具及び少なくとも２以上の前記第２照明具は、双方の隣接部分を当接させて密着する請求項１〜請求項２８のいずれか１項に記載の照明装置。
【発明の詳細な説明】
【技術分野】
【０００１】
本発明は、非常用光源を有する第１照明具と、常用光源を有する第２照明具とを備える照明装置に関する。
【背景技術】
【０００２】
従来、天井あるいは壁面に取り付けられる照明器具の一例として、非常灯組込型の照明装置が提案されている（たとえば、特許文献１参照）。これらの照明装置では、常用光源を有する照明具と、非常用光源を有する照明具と、を同一の筐体内に取り付けている。
【先行技術文献】
【特許文献】
【０００３】
【特許文献１】特開２０１７−１０３００６号公報
【発明の概要】
【発明が解決しようとする課題】
【０００４】
しかし、上記特許文献１に開示された従来の技術では、非常用照明具の非常用光源が常用照明具の常用光源に隣接して配置されている。これにより、それぞれの光源の照射範囲の中心どうしが離間した構造となる。このような構造では、常用光源の照射特性と配光特性とを考慮して非常用光源の照射特性と配光特性とを得る必要がある。そのため、特殊な光学部品が用いられたり製品の構造が複雑になったりする。この結果、資材コスト及び組立コストが増加する。
【０００５】
本発明は、上記課題を解決するためのものであり、非常用光源の照射特性と配光特性とが常用光源を考慮せずに得られ、特殊な光学部品が用いられず、かつ、製品の構造が簡素になり、資材コスト及び組立コストが低減できる照明装置を得ることを目的とする。
【課題を解決するための手段】
【０００６】
本発明の照明装置は、非常用光源を有する第１照明具と、常用光源を有する少なくとも２以上の第２照明具とを備え、前記第１照明具は、少なくとも２以上の前記第２照明具の間に配置され、少なくとも２以上の前記第２照明具のそれぞれは、前記第１照明具から別々の向きとなる前記第１照明具の周りに配置されるものである。
【発明の効果】
【０００７】
本発明に係る照明装置によれば、少なくとも２以上の第２照明具のそれぞれは、第１照明具から別々の向きとなる第１照明具の周りに配置されている。これにより、非常用光源の照射特性と配光特性とが常用光源の照射特性と配光特性とを考慮せずに得られ、特殊な光学部品が用いられず、かつ、製品の構造が簡素になり、資材コスト及び組立コストが低減できる。
【図面の簡単な説明】
【０００８】
【図１】実施の形態１に係る照明装置を示す斜視図である。
【図２】実施の形態１に係る照明装置を示す正面図である。
【図３】実施の形態１に係る照明装置を示す下面図である。
【図４】実施の形態１に係る照明装置を示す側面図である。
【図５】実施の形態１に係る照明装置における第２照明具を筐体に取り付ける状態を示す説明図である。
【図６】実施の形態１に係る照明装置における電池を第１照明具に取り付ける状態を示す説明図である。
【図７】実施の形態１に係る照明装置における第１照明具及び第２照明具のそれぞれの照射側の最頂部を外郭部よりも凹ませた状態を示す説明図である。
【図８】実施の形態１の変形例１に係る照明装置を示す斜視図である。
【図９】実施の形態１の変形例２に係る照明装置を示す斜視図である。
【図１０】実施の形態２に係る照明装置を示す斜視図である。
【図１１】実施の形態２に係る照明装置における第２照明具を筐体に取り付ける状態を示す説明図である。
【図１２】実施の形態２に係る照明装置を示す正面図である。
【図１３】実施の形態２に係る照明装置を示す下面図である。
【図１４】実施の形態２に係る照明装置を示す側面図である。
【図１５】実施の形態２に係る照明装置における第１照明具及び第２照明具のそれぞれの照射側の最頂部を外郭部よりも凹ませた状態を示す説明図である。
【図１６】実施の形態３に係る照明装置を示す斜視図である。
【図１７】実施の形態４に係る照明装置を示す斜視図である。
【発明を実施するための形態】
【０００９】
以下、図面に基づいて実施の形態が説明されている。なお、各図において、同一の符号を付したものは、同一の又はこれに相当するものであり、これは明細書の全文において共通している。また、断面図の図面においては、視認性に鑑みて適宜ハッチングが省略されている。さらに、明細書全文に示す構成要素の形態は、あくまで例示であってこれらの記載に限定されるものではない。各図では、矢印で示す、上向きＵ、下向きＤ、正面向きＦ、背面向きＢ、右向きＲ及び左向きＬが揃うように同様に示されている。
【００１０】
実施の形態１．
＜照明装置１００＞
図１は、実施の形態１に係る照明装置１００を示す斜視図である。図２は、実施の形態１に係る照明装置１００を示す正面図である。図３は、実施の形態１に係る照明装置１００を示す下面図である。図４は、実施の形態１に係る照明装置１００を示す側面図である。
【００１１】
図１、図２、図３及び図４に示すように、照明装置１００は、照明空間を照明できる位置に設置され、照明空間を照らすものである。照明空間とは、照明装置１００が設置される下向きＤの空間、たとえば居住空間、倉庫などの空間、ビルあるいは公共施設などの空間、エレベータあるいは廊下等の共有空間、又は、電車あるいは船舶などの乗り物内の空間などを意味している。照明装置１００は、いわゆる長尺状のＶ形タイプのものである。
【００１２】
照明装置１００は、１つの第１照明具１０と、２つの第２照明具２０と、筐体３０と、を備える。第１照明具１０及び２つの第２照明具２０は、筐体３０の下向きＤに取り付けられている。第１照明具１０は、筐体３０の中央に配置されている。第１照明具１０は、２つの第２照明具２０の間に挟まれている。すなわち、２つの第２照明具２０のそれぞれは、第１照明具１０から反対の向きとなる第１照明具１０の周りの左右に等配されている。
【００１３】
第１照明具１０及び２つの第２照明具２０のそれぞれは、長辺と短辺とを有する長尺型照明具である。第１照明具１０及び２つの第２照明具２０は、長辺を左右の同一方向に直列に一直線状に配置されている。第１照明具１０及び２つの第２照明具２０は、双方の隣接部分を当接させて密着している。第１照明具１０及び２つの第２照明具２０のそれぞれは、前後の短辺の幅を同一長さに形成されている。第１照明具１０及び２つの第２照明具２０は、左右の長手方向に沿った中心線Ｃ１を一致させている。これにより、第１照明具１０及び２つの第２照明具２０のそれぞれは、発光中心における照射の向きがＶ形の筐体３０の下向きＤに完全に重なるように配置されている。
【００１４】
筐体３０の中心は、第１照明具１０の領域に位置している。第１照明具１０及び２つの第２照明具２０を合わせた第１合成重心Ｇ１の位置は、第１照明具１０の領域に位置している。２つの第２照明具２０を合わせた第２合成重心Ｇ２の位置は、第１照明具１０の領域に位置している。第１合成重心Ｇ１の位置と第２合成重心Ｇ２の位置とは、一致している。第１合成重心Ｇ１の位置と第２合成重心Ｇ２の位置とは、照明装置１００における左右の長手方向に沿った中心線Ｃ１と照明装置１００における前後の短手方向に沿った中心線Ｃ２との交点の位置である。なお、第１合成重心Ｇ１の位置と第２合成重心Ｇ２の位置とは、第１照明具１０の領域内で異なっても良い。
【００１５】
＜第１照明具１０＞
第１照明具１０は、非常時に点灯可能な照明具である。第１照明具１０は、たとえば停電などの何らかの理由で外部から照明装置１００に電力が供給されない非常時などの場合に光を照射し、照明空間を照らす。第１照明具１０は、非常用光源ユニットあるいは非常灯ユニットである。第１照明具１０は、非常時に点灯電力を供給する後述する電池４０を有する。電池４０は、片方の第２照明具２０を取り外すと、第１照明具１０から取り外し可能である。
【００１６】
第１照明具１０は、後述する図７に示すように非常用光源１１を有する。非常用光源１１は、第２照明具２０が配列される向きと交わる断面視にて、断面視の断面線上にて第２照明具２０と重なるように配置されている。言い換えると、非常用光源１１と第２照明具２０との長手方向に沿った断面線が上記中心線Ｃ１に略一致している。非常用光源１１は、発光ダイオード、有機ＥＬ又はレーザなどが用いられている。
【００１７】
第１照明具１０は、非常用光源１１を覆う第１透光部１２を有する。第１透光部１２は、第１照明具１０の下面のうちの一部に半球形状に設けられている。第１透光部１２は、レンズを経由して非常用光源１１の光を照明空間に出光する。第１透光部１２は、非常用光源１１によって発せられた光が入光して、入光した光を透過させて照射する。第１透光部１２は、少なくとも可視光を透過する透光性の材料で形成されている。第１透光部１２は、たとえば、樹脂材料あるいはガラス材料などを用いて形成されている。第１照明具１０は、第１透光部１２を露出させた開孔が形成された外郭部１３を有する。
【００１８】
第１照明具１０の外郭部１３の一部には、操作部１４が設けられている。操作部１４は、外部に露出している。操作部１４は、照明装置１００の点検に利用される。操作部１４は、操作面部と、操作部固定具と、を有する。操作面部は、作業者によって操作される操作ボタンと、表示灯と、を有する。表示灯は、たとえばいわゆるインジケータとして通電状態を表示する。操作部固定具は、操作部１４を第１照明具１０の外郭部１３に固定している。操作部固定具は、たとえば、ネジ、ナット又はリベットなどである。
【００１９】
第１照明具１０の外郭部１３の内部には、図示しない制御部が設けられている。制御部は、照明装置１００の点灯に関する制御を行う。制御部は、後述する電池４０の蓄電又は放電に関する制御を行う。制御部は、制御回路、蓄電回路及び放電回路などを構成している。制御部を構成した制御基板は、板状の部材などであり、制御回路部品を実装する。制御回路部品は、たとえば、プログラムを記憶する記憶装置と、プログラムを実行するＣＰＵ（Ｃｅｎｔｒａｌ  Ｐｒｏｃｅｓｓｉｎｇ  Ｕｎｉｔ）と、を有する。
【００２０】
＜第２照明具２０＞
第２照明具２０は、常用の照明具である。２つの第２照明具２０のそれぞれは、第１照明具１０よりも大きい。第２照明具２０の照明量は、通常時に照明空間を照明可能に第１照明具１０の照明量よりも大きい。２つの第２照明具２０のそれぞれは、長辺と短辺とを有する同形状の長尺型照明具である。第２照明具２０は、第１照明具１０を照明装置１００から取り外すことなく、照明装置１００に着脱自在に取り付けられている。筐体３０における第２照明具２０が取り付けられる箇所は、空間部に形成されている。
【００２１】
第２照明具２０は、後述の図７に示すように常用光源２１を有する。常用光源２１は、発光ダイオード、有機ＥＬ又はレーザなどが用いられている。
【００２２】
第２照明具２０は、常用光源２１を覆う第２透光部２２を有する。第２透光部２２は、第２照明具２０の下面のうちの左右の両側端部の外郭部２３以外の全体に設けられている。第２透光部２２は、常用光源２１によって発せられた光が入光して、入光した光を透過させて照射する。第２透光部２２は、少なくとも可視光を透過する透光性の材料で形成されている。第２透光部２２は、たとえば、樹脂材料あるいはガラス材料などを用いて形成されている。第２透光部２２は、レンズを経由して常用光源２１の光を照明空間に出光する。第２透光部２２は、中央の第１照明具１０の第１透光部１２の外側にて、非常用光源１１の光軸と重ならない位置に配置されている。第２照明具２０は、第２透光部２２を両端部にて支持するように外郭部２３を有する。第１透光部１２と第２透光部２２とは、外郭部１３及び外郭部２３によって相互に遮光されている。これにより、照明装置１００は、非常灯組込照明装置の要件を満たしている。
【００２３】
図５は、実施の形態１に係る照明装置１００における第２照明具２０を筐体３０に取り付ける状態を示す説明図である。図５に示すように、第２照明具２０は、照明装置１００に対して着脱自在である。
【００２４】
＜電池４０＞
図６は、実施の形態１に係る照明装置１００における電池４０を第１照明具１０に取り付ける状態を示す説明図である。図６に示すように、電池４０は、第１照明具１０の内部に取り付け自在である。第１照明具１０の内部には、電池４０を収容する空間部が形成されている。空間部は、２つの第２照明具２０のうち一方の第２照明具２０を取り外すと、電池４０を着脱自在な開口１５を露出させる。開口１５には、蓋部材１６が着脱自在に取り付けられている。
【００２５】
＜電力系統＞
照明装置１００は、常用光源２１を常用光源点灯電力によって発光させる図示しない第１電力供給系統を有する。第１電力供給系統の常用光源点灯電力は、商用電源から配線された図示しない電線によって照明装置１００に供給されている。
【００２６】
照明装置１００は、非常用光源１１を非常用光源点灯電力によって発光させる図示しない第２電力供給系統を有する。第２電力供給系統の非常用光源点灯電力は、商用電源から配線された図示しない電線によって照明装置１００に供給されている。非常用光源点灯電力は、ここでは第２電力供給系統からの電力によって蓄電された電池４０の放電を用いている。なお、照明装置１００は、第２電力供給系統を用いず、第１電力供給系統によって電池４０を蓄電しても良い。この場合には、第１電力供給系統からの非常用光源点灯電力によって蓄電された電池４０の放電が用いられ、非常用光源１１が発光されても良い。
【００２７】
＜最頂部１２ａ及び最頂部２２ａと外郭部１３及び外郭部２３との関係＞
図７は、実施の形態１に係る照明装置１００における第１照明具１０及び第２照明具２０のそれぞれの照射側の最頂部１２ａ及び最頂部２２ａを外郭部１３及び外郭部２３よりも凹ませた状態を示す説明図である。図７では、中心線Ｃ２より右向きＲの側に内部構造が示され、中心線Ｃ２より左向きＬの側に外観が示されている。図７に示すように、第１照明具１０の照射側の最頂部１２ａは、第１照明具１０の外郭部１３よりも距離Ｓ１だけ凹んでいる。２つの第２照明具２０のそれぞれの照射側の最頂部２２ａは、２つの第２照明具２０のそれぞれの外郭部２３よりも距離Ｓ２だけ凹んでいる。これにより、第１照明具１０と第２照明具２０とは、外郭部１３及び外郭部２３によって相互に遮光されている。
【００２８】
＜変形例１＞
図８は、実施の形態１の変形例１に係る照明装置１００を示す斜視図である。図８に示すように、照明装置１００は、トラフタイプのものでも良い。
【００２９】
＜変形例２＞
図９は、実施の形態１の変形例２に係る照明装置１００を示す斜視図である。図９に示すように、照明装置１００は、筐体３０に反射板３１を有し、天井などに設けられた開口部に埋め込むように取り付けられる、いわゆる埋込タイプのものでも良い。
【００３０】
＜その他＞
なお、第２照明具２０は、少なくとも２以上設けられると良い。少なくとも２以上の第２照明具２０のそれぞれは、第１照明具１０から別々の向きとなる第１照明具１０の周りに等配されると良い。少なくとも２以上の第２照明具２０のそれぞれは、第１照明具１０から別々の向きとなる第１照明具１０の周りに配置されても良い。少なくとも２以上の第２照明具２０のそれぞれは、長尺型照明具以外のものでも良い。
【００３１】
＜作用＞
第１照明具１０の配光中心と、２つの第２照明具２０の全体の配光中心と、は、ともに照明装置１００の短手方向に沿った中心線Ｃ２に略重なっている。つまり、第１照明具１０の配光中心と、２つの第２照明具２０の全体の配光中心と、は、略重なっている。このため、第１照明具１０の配光中心を照明装置１００の中心に重ねるための特殊な制御部材が不要になっている。これにより、照明装置１００は、簡素な構成になっている。また、照明装置１００の配光設計が簡易になっている。
【００３２】
第１照明具１０は、制御部及び電池４０を高い集積度で収納しているため、質量密度が照明装置１００の全体の質量密度より高くなる。第１照明具１０が照明装置１００の略中央に配置されることにより、照明装置１００の全体の質量バランスが好適になり、特定の向きに傾くおそれを抑制できる。このような特定の向きに傾くおそれを抑制することにより、照明装置１００の傾きを補強する補強部材などが不要になり、照明装置１００が簡素かつ安価に構成できる。
【００３３】
照明装置１００は、長手方向に沿って２つの第２照明具２０の外径形状を揃えているので、外観意匠性が改善され、商品性が向上される。
【００３４】
＜実施の形態１の効果＞
実施の形態１によれば、照明装置１００は、非常用光源１１を有する第１照明具１０を備える。照明装置１００は、常用光源２１を有する少なくとも２以上の第２照明具２０を備える。第１照明具１０は、少なくとも２以上の第２照明具２０の間の中央に配置されている。少なくとも２以上の第２照明具２０のそれぞれは、第１照明具１０の別々の向きとなる第１照明具１０の周りに配置されている。
【００３５】
この構成によれば、非常用光源１１の照射特性と配光特性とが常用光源２１の照射特性と配光特性とを考慮せずに得られ、特殊な光学部品が用いられず、かつ、製品の構造が簡素になり、資材コスト及び組立コストが低減できる。また、第１照明具１０が中央に配置され、重量バランスが改善できる。さらに、少なくとも２以上の第２照明具２０が中央の第１照明具１０の周りにバランス良く配置され、意匠性が改善できる。
【００３６】
実施の形態１によれば、少なくとも２以上の第２照明具２０のそれぞれは、第１照明具１０の周りに等配されている。
【００３７】
この構成によれば、第１照明具１０が中央に配置され、重量バランスがより改善できる。また、少なくとも２以上の第２照明具２０が中央の第１照明具１０の周りにバランス良く等配され、意匠性がより改善できる。
【００３８】
実施の形態１によれば、少なくとも２以上の第２照明具２０のそれぞれは、長辺と短辺とを有する長尺型照明具である。
【００３９】
この構成によれば、第２照明具２０が長尺型照明具であっても、第１照明具１０が中央に配置され、重量バランスが改善できる。また、少なくとも２以上の第２照明具２０が中央の第１照明具１０の周りにバランス良く配置され、意匠性が改善できる。
【００４０】
実施の形態１によれば、少なくとも２以上の第２照明具２０のそれぞれは、同形状の長尺型照明具である。
【００４１】
この構成によれば、２以上の第２照明具２０が同形状の長尺型照明具であるので、第１照明具１０が中央に配置され、重量バランスがより改善できる。また、２以上の第２照明具２０が中央の第１照明具１０の周りにバランス良く配置され、意匠性がより改善できる。
【００４２】
実施の形態１によれば、第２照明具２０は、２つ設けられている。第１照明具１０は、２つの第２照明具２０の間に挟まれている。
【００４３】
この構成によれば、２つの第２照明具２０が第１照明具１０を挟んだ状態に形成され、第１照明具１０が中央に配置され、重量バランスがより改善できる。また、２つの第２照明具２０が中央の第１照明具１０の周りにバランス良く配置され、意匠性がより改善できる。
【００４４】
実施の形態１によれば、第１照明具１０及び２つの第２照明具２０は、長手方向を同一方向に直列に一直線状に配置されている。
【００４５】
この構成によれば、第１照明具１０及び２つの第２照明具２０が一直線状に配置され、第１照明具１０が中央に配置され、重量バランスがより改善できる。また、２つの第２照明具２０が中央の第１照明具１０の周りにバランス良く等配され、意匠性がより改善できる。
【００４６】
実施の形態１によれば、第１照明具１０及び２つの第２照明具２０は、長手方向に沿った中心線Ｃ１を一致させている。
【００４７】
この構成によれば、第１照明具１０及び２つの第２照明具２０が長手方向に沿った中心線Ｃ１を一致させ、第１照明具１０が中央に配置され、重量バランスがより改善できる。また、２つの第２照明具２０が中央の第１照明具１０の周りにバランス良く等配され、意匠性がより改善できる。
【００４８】
実施の形態１によれば、第１照明具１０及び少なくとも２以上の第２照明具２０のそれぞれは、短辺の幅を同一長さに形成されている。
【００４９】
この構成によれば、第１照明具１０及び２以上の第２照明具２０が短辺の幅を同一長さに形成でき、第１照明具１０及び２つの第２照明具２０が綺麗な一直線状などに構成でき、意匠性がより改善できる。
【００５０】
実施の形態１によれば、少なくとも２以上の第２照明具２０のそれぞれは、第１照明具１０よりも大きい。
【００５１】
この構成によれば、常用光源２１を有する第２照明具２０が大きく、照明する常用光が十分に明るくなる。
【００５２】
実施の形態１によれば、第１照明具１０及び少なくとも２以上の第２照明具２０のそれぞれの照射側の最頂部１２ａ及び最頂部２２ａは、第１照明具１０及び少なくとも２以上の第２照明具２０のそれぞれの外郭部１３及び外郭部２３よりも凹んでいる。
【００５３】
この構成によれば、第１照明具１０及び２つの第２照明具２０のそれぞれの照明が外郭部１３及び外郭部２３によって相互に遮光され、非常用光源１１の照射特性と配光特性とが常用光源２１の照射特性と配光特性とを考慮せずに得られる。このため、特殊な光学部品が用いられず、かつ、製品の構造が簡素になり、資材コスト及び組立コストが低減できる。
【００５４】
実施の形態１によれば、第１照明具１０及び少なくとも２以上の第２照明具２０を合わせた第１合成重心Ｇ１の位置は、第１照明具１０の領域に位置している。
【００５５】
この構成によれば、第１合成重心Ｇ１の位置が第１照明具１０の領域に位置し、重量バランスが改善できる。これにより、重量バランスを保持するための補強部品が不要になり、部品点数が削減でき、照明装置１００の全体の軽量化、簡素化及び低コスト化が図られる。
【００５６】
実施の形態１によれば、第１照明具１０は、非常用光源１１を覆う第１透光部１２を有する。第２照明具２０は、常用光源２１を覆う第２透光部２２を有する。第１透光部１２と第２透光部２２とが相互に遮光されている。第２透光部２２は、中央の第１照明具１０の第１透光部１２の外側にて、非常用光源１１の光軸と重ならない位置に配置されている。
【００５７】
この構成によれば、第１照明具１０及び２つの第２照明具２０の配光中心が一致でき、第１照明具１０の配光が改善できる。
【００５８】
実施の形態１によれば、非常用光源１１は、第２照明具２０が配列される向きと交わる断面視にて、断面視の断面線上にて第２照明具２０と重なるように配置されている。
【００５９】
この構成によれば、第１照明具１０及び２つの第２照明具２０の配光中心が一致でき、第１照明具１０の配光がより改善できる。
【００６０】
実施の形態１によれば、第１照明具１０は、第１透光部１２を露出させた開孔が形成された外郭部１３を有する。第１透光部１２と第２透光部２２とは、第１照明具１０の外郭部１３によって相互に遮光されている。
【００６１】
この構成によれば、第１照明具１０及び２つの第２照明具２０のそれぞれの照明が外郭部１３によって相互に遮光され、非常用光源１１の照射特性と配光特性とが常用光源２１の照射特性と配光特性とを考慮せずに得られる。このため、特殊な光学部品が用いられず、かつ、製品の構造が簡素になり、資材コスト及び組立コストが低減できる。
【００６２】
実施の形態１によれば、少なくとも２以上の第２照明具２０を合わせた第２合成重心Ｇ２の位置は、第１照明具１０の領域に位置している。
【００６３】
この構成によれば、第２合成重心Ｇ２の位置が第１照明具１０の領域に位置し、重量バランスが改善できる。これにより、重量バランスを保持するための補強部品が不要になり、部品点数が削減でき、照明装置１００の全体の軽量化、簡素化及び低コスト化が図られる。
【００６４】
実施の形態１によれば、照明装置１００は、第１照明具１０及び少なくとも２以上の第２照明具２０を配置する筐体３０を有する。筐体３０の中心は、第１照明具１０の領域に位置している。
【００６５】
この構成によれば、第１照明具１０が中央に配置され、重量バランスが改善できる。これにより、重量バランスを保持するための補強部品が不要になり、筐体３０が薄肉化でき、照明装置１００の全体の軽量化、簡素化及び低コスト化が図られる。
【００６６】
実施の形態１によれば、第１透光部１２は、２以上の第２透光部２２の間に配置されている。
【００６７】
この構成によれば、２つの第２照明具２０が第１照明具１０を挟んだ状態に形成でき、第１照明具１０が中央に配置され、重量バランスがより改善できる。また、２つの第２照明具２０が中央の第１照明具１０の周りにバランス良く配置でき、意匠性がより改善できる。
【００６８】
実施の形態１によれば、照明装置１００は、非常用光源１１を非常用光源点灯電力によって発光させる第１電力供給系統を有する。第１電力供給系統は、常用光源２１を常用光源点灯電力によって発光させる。
【００６９】
この構成によれば、第１電力供給系統が非常用光源１１及び常用光源２１の双方に電力を供給でき、電力供給系統の部品点数が削減できる。
【００７０】
実施の形態１によれば、照明装置１００は、常用光源２１を常用光源点灯電力によって発光させる第１電力供給系統を有する。照明装置１００は、非常用光源１１を非常用光源点灯電力によって発光させる第２電力供給系統を有する。
【００７１】
この構成によれば、非常用光源１１及び常用光源２１のそれぞれが別の電力供給系統を有し、万一、一方の電力供給系統が破断されても、他方の電力供給系統が存続できる。これにより、非常時などでも照明装置１００の照明機能の存続確率が向上できる。
【００７２】
実施の形態１によれば、第１透光部１２は、第１照明具１０の下面のうちの一部に設けられている。第２透光部２２は、第２照明具２０の下面の外郭部２３以外の全体に設けられている。
【００７３】
この構成によれば、常用光源２１を有する第２照明具２０の第２透光部２２が大きく、照明する常用光が十分に明るくなる。
【００７４】
実施の形態１によれば、第１照明具１０及び少なくとも２以上の第２照明具２０は、双方の隣接部分を当接させて密着している。
【００７５】
この構成によれば、第１照明具１０及び少なくとも２以上の第２照明具２０が一体化され、意匠性が向上できる。
【００７６】
実施の形態２．
図１０は、実施の形態２に係る照明装置１００を示す斜視図である。図１１は、実施の形態２に係る照明装置１００における第２照明具２０を筐体３０に取り付ける状態を示す説明図である。図１２は、実施の形態２に係る照明装置１００を示す正面図である。図１３は、実施の形態２に係る照明装置１００を示す下面図である。図１４は、実施の形態２に係る照明装置１００を示す側面図である。図１５は、実施の形態２に係る照明装置１００における第１照明具１０及び第２照明具２０のそれぞれの照射側の最頂部１２ａ及び最頂部２２ａを外郭部１３及び外郭部２３よりも凹ませた状態を示す説明図である。図１５では、中心線Ｃ１より正面向きＦの側に内部構造が示され、中心線Ｃ１より背面向きＢの側に外観が示されている。実施の形態２では、上記実施の形態１と同事項の説明が省略され、その特徴部分のみが説明される。
【００７７】
図１０、図１１、図１２、図１３、図１４及び図１５に示すように、照明装置１００は、直付型あるいはトラフ形のものである。第１照明具１０及び２つの第２照明具２０は、長辺を並列に配置されている。第１照明具１０及び２つの第２照明具２０は、第１照明具１０を中心に位置させて照明装置１００の短手方向に沿って配列されている。換言すると、第１照明具１０は、２つの第２照明具２０に挟まれて配置されている。第１照明具１０及び２つの第２照明具２０は、双方の隣接部分を当接させて密着している。
【００７８】
＜実施の形態２の効果＞
実施の形態２によれば、第１照明具１０及び２つの第２照明具２０は、長辺を並列に配置されている。
【００７９】
この構成によれば、第１照明具１０及び２つの第２照明具２０が長辺を並列に３列に配置され、第１照明具１０が中央に配置され、重量バランスがより改善できる。また、２つの第２照明具２０が中央の第１照明具１０の周りにバランス良く等配され、意匠性がより改善できる。
【００８０】
実施の形態３．
図１６は、実施の形態３に係る照明装置１００を示す斜視図である。実施の形態３では、上記実施の形態１及び実施の形態２と同事項の説明が省略され、その特徴部分のみが説明される。
【００８１】
図１６に示すように、照明装置１００は、１つの第１照明具１０と、４つの第２照明具２０と、を備える。４つの第２照明具２０は、第１照明具１０を取り囲むように配置されている。第１照明具１０は、４つの第２照明具２０の中央に矩形形状で配置されている。換言すると、第１照明具１０は、４つの第２照明具２０に取り囲まれて配置されている。４つの第２照明具２０は、環状に配置されている。ここでは、４つの第２照明具２０は、長尺型照明具であり、第１照明具１０の周りを矩形形状に囲んでいる。４つの第２照明具２０は、第１照明具１０に対して長辺の途中の短辺の縁部を向けて第１照明具１０の周りを囲んでいる。
【００８２】
４つの第２照明具２０のそれぞれは、一方の端部２４を第１照明具１０の周りを囲んだ矩形形状の角部に配置されるとともに、他方の端部２５を矩形形状の隣辺の角部に隣接して配置されている。
【００８３】
なお、４つの第２照明具２０のそれぞれは、双方の端部２４及び端部２５を第１照明具１０の周りを囲んだ矩形形状の角部に空間を形成するように離間して配置されても良い。
【００８４】
第１照明具１０と４つの第２照明具２０とは、筐体３０によって連結されて固定されている。第１照明具１０と４つの第２照明具２０との間には、第１照明具１０に対して電池４０の着脱が可能な空間が形成されている。換言すると、第１照明具１０と４つの第２照明具２０とは、電池４０の着脱が可能な間隔があけられて配置されている。
【００８５】
＜その他＞
なお、照明装置１００は、４つの第２照明具２０を環状に配置して略４角形の矩形形状に構成されている。しかし、Ｎが３以上のＮ個の第２照明具２０を環状に配置してＮ角形状の態様に構成されても良い。
【００８６】
＜実施の形態３の効果＞
実施の形態３によれば、第２照明具２０は、３以上設けられている。第１照明具１０は、３以上の第２照明具２０の中央に配置されている。
【００８７】
この構成によれば、非常用光源１１の照射特性と配光特性とが常用光源２１の照射特性と配光特性とを考慮せずに得られ、特殊な光学部品が用いられず、かつ、製品の構造が簡素になり、資材コスト及び組立コストが低減できる。また、第１照明具１０が中央に配置され、重量バランスが改善できる。さらに、少なくとも２以上の第２照明具２０が中央の第１照明具１０の周りにバランス良く配置され、意匠性が改善できる。
【００８８】
実施の形態３によれば、３以上の第２照明具２０は、第１照明具１０の周りを囲んでいる。
【００８９】
この構成によれば、３以上の第２照明具２０が第１照明具１０の周りを囲み、第１照明具１０が中央に配置され、重量バランスがより改善できる。また、少なくとも２以上の第２照明具２０が中央の第１照明具１０の周りにバランス良く等配され、意匠性がより改善できる。
【００９０】
実施の形態３によれば、３以上の第２照明具２０は、第１照明具１０に対して長辺の途中の短辺の縁部を向けて第１照明具１０の周りを囲んでいる。
【００９１】
この構成によれば、３以上の第２照明具２０のそれぞれの長辺の双方の端部２４及び端部２５が第１照明具１０に対して離間でき、３以上の第２照明具２０が第１照明具１０を囲み易い。
【００９２】
実施の形態３によれば、第２照明具２０は、４つ設けられている。４つの第２照明具２０は、第１照明具１０の周りを矩形形状に囲んでいる。
【００９３】
この構成によれば、４つの第２照明具２０が第１照明具１０の周りを矩形形状に無駄無く囲み、意匠性が向上できる。
【００９４】
実施の形態３によれば、４つの第２照明具２０のそれぞれは、一方の端部２４を第１照明具１０の周りを囲んだ矩形形状の角部に配置されるとともに、他方の端部２５を矩形形状の隣辺の角部に隣接して配置されている。
【００９５】
この構成によれば、４つの第２照明具２０が第１照明具１０の周りを矩形形状に４つの角部の形状の統一性を取って囲み、意匠性がより向上できる。
【００９６】
実施の形態３によれば、４つの第２照明具２０のそれぞれは、双方の端部２４及び端部２５を第１照明具１０の周りを囲んだ矩形形状の角部に空間を形成するように離間して配置されている。
【００９７】
この構成によれば、４つの第２照明具２０が第１照明具１０の周りを矩形形状に簡単に囲み、製品の組立性が向上できる。
【００９８】
実施の形態４．
図１７は、実施の形態４に係る照明装置１００を示す斜視図である。実施の形態４では、上記実施の形態１、実施の形態２及び実施の形態３と同事項の説明が省略され、その特徴部分のみが説明される。
【００９９】
図１７に示すように、４つの第２照明具２０は、常用光源２１を覆う第２透光部２２を一体化されて環状に構成されている。４つの第２照明具２０のそれぞれは、１つの筐体３０に取り付けられている。
【０１００】
＜その他＞
ここでは、第２透光部２２は、概略四角形状に構成されている。しかし、第２透光部２２は、４角形状以外の多角形状に構成されても良い。また、第２透光部２２は、円環状又は楕円形状に構成されても良い。このとき、第２照明具２０の数は、４つに限定されず、３以上の数であれば良い。たとえば、６つの第２照明具２０が６角形状に配置され、円環状の１つの第２透光部２２が６角形状に配置された６つの第２照明具２０に覆われ、６つの第２照明具２０があたかも１つの円環状の照明具のように構成されても良い。なお、このときでも第１照明具１０は、照明装置１００の中央に配置されている。
【０１０１】
＜実施の形態４の効果＞
実施の形態４によれば、３以上の第２照明具２０は、常用光源２１を覆う第２透光部２２を一体化されて環状に構成されている。
【０１０２】
この構成によれば、３以上の第２照明具２０の第２透光部２２が１部品で構成され、３以上の第２照明具２０が連続して意匠性がより向上できる。
【符号の説明】
【０１０３】
１０  第１照明具、１１  非常用光源、１２  第１透光部、１２ａ  最頂部、１３  外郭部、１４  操作部、１５  開口、１６  蓋部材、２０  第２照明具、２１  常用光源、２２  第２透光部、２２ａ  最頂部、２３  外郭部、２４  端部、２５  端部、３０  筐体、３１  反射板、４０  電池、１００  照明装置。
【図１】
2020173924.tif 000003
【図２】
2020173924.tif 000004
【図３】
2020173924.tif 000005
【図４】
2020173924.tif 000006
【図５】
2020173924.tif 000007
【図６】
2020173924.tif 000008
【図７】
2020173924.tif 000009
【図８】
2020173924.tif 000010
【図９】
2020173924.tif 000011
【図１０】
2020173924.tif 000012
【図１１】
2020173924.tif 000013
【図１２】
2020173924.tif 000014
【図１３】
2020173924.tif 000015
【図１４】
2020173924.tif 000016
【図１５】
2020173924.tif 000017
【図１６】
2020173924.tif 000018
【図１７】
2020173924.tif 000019